(57)【要約】【課題】単純な構成でありながら、注入する薬液が腐食性を有するものであっても、注入による配管への影響を低減することが可能な薬注用配管部材、このような薬注用配管部材を有する薬注システム、および、このような薬注用配管部材を用いる薬注方法を提供すること。【解決手段】液体が流れる送液配管３から前記液体を取り出し、これに薬液を混合して得られた混合液を送液配管３に戻すための薬注用配管部材Ａであって、前記液体を送液配管３から取り出すための取り出し配管部１と、前記混合液を送液配管３に戻すための戻し配管部２と、取り出し配管部１および戻し配管部２を束ねた状態として、これを送液配管３の分岐部３ａに接続する分岐部接続部１ｂと、を備える薬注用配管部材、これを用いた薬注システムおよび薬注方法である。【選択図】図１
2019195784.tif 000002
【特許請求の範囲】
【請求項１】
液体が流れる送液配管から前記液体を取り出し、これに薬液を混合して得られた混合液を前記送液配管に戻すための薬注用配管部材であって、
前記液体を前記送液配管から取り出すための取り出し配管部と、
前記混合液を前記送液配管に戻すための戻し配管部と、
前記取り出し配管部および前記戻し配管部を束ねた状態として、これを前記送液配管の分岐部に接続する分岐部接続部と、
を備えることを特徴とする薬注用配管部材。
【請求項２】
外側管と、その内側に配した内側管と、からなる二重管部を有し、
前記外側管の一方の端部が前記分岐部接続部の一部となって前記分岐部に接続し、他方の端部を閉塞する底部を有し、当該底部またはその近傍の周面に、他の配管に接続するための第１の外部接続部を有し、
前記内側管の一方の端部が前記送液配管内まで延伸して開口し、他方の端部が前記外側管の底部またはその近傍の周面を貫通して、さらに他の配管に接続するための第２の外部接続部を有し、
前記二重管部における、前記外側管と前記内側管との間隙、および、前記内側管内、のいずれか一方が前記取り出し配管部を構成し、他方が前記戻し配管部を構成することを特徴とする請求項１に記載の薬注用配管部材。
【請求項３】
前記二重管部における、前記外側管と前記内側管との間隙が前記取り出し配管部を構成し、前記内側管内が前記戻し配管部を構成し、
前記内側管の一方の端部が、前記液体の流れ方向下流側に向いて、または、下流側に向いて斜めに、開口していることを特徴とする請求項２に記載の薬注用配管部材。
【請求項４】
請求項１〜３のいずれかに記載の薬注用配管部材と、
前記取り出し配管部によって前記送液配管の分岐部から取り出した前記液体を、前記戻し配管部に送液する薬注配管と、
前記薬注配管の中途で前記液体に薬液を注入する薬注手段と、
を備えたことを特徴とする薬注システム。
【請求項５】
液体が流れる送液配管から前記液体を取り出し、これに薬液を混合して得られた混合液を前記送液配管に戻す薬注方法であって、
請求項１〜３のいずれかに記載の薬注用配管部材を用いて、前記取り出し配管部によって前記液体を前記送液配管の分岐部から取り出し、これに薬液を混合した後、得られた混合液を前記戻し配管部によって前記分岐部に戻すことを特徴とする薬注方法。
【発明の詳細な説明】
【技術分野】
【０００１】
本発明は、液体の流れる送液配管に、たとえば水処理剤などの薬液を注入するための薬注用配管部材、薬注システム、および、薬注方法に関する。
【背景技術】
【０００２】
液体の流れる送液配管に各種薬液を注入することは広く行われている。しかし、酸等の腐食性の薬液を注入する場合、薬注箇所の液体の流れ方向下流側で配管が腐食するおそれがある。このため、配管の内壁から遠い、配管の中心近くに、液体の流れ方向下流側に向けて薬液を注入するノズルを設け、配管の腐食を防止する技術が提案されている（特許文献１）。
【０００３】
しかし、この場合であっても液体と薬液との比重差等により、ノズルの下流側の配管への影響が生じる可能性があり、さらなる影響の低減が望まれていた。
【先行技術文献】
【特許文献】
【０００４】
【特許文献１】特開平０７−１８５５１６号公報
【発明の概要】
【発明が解決しようとする課題】
【０００５】
本発明は、このような従来技術の問題点を解決することを目的とする。すなわち、本発明は、送液配管に接続して送液配管内を流れる液体に薬液を注入する際に、単純な構成でありながら、注入する薬液が腐食性を有するものであっても、注入による配管への影響を低減することが可能な薬注用配管部材、このような薬注用配管部材を有する薬注システム、および、このような薬注用配管部材を用いる薬注方法を提供することを目的とする。
【課題を解決するための手段】
【０００６】
本発明の薬注用配管部材は、液体が流れる送液配管から前記液体を取り出し、これに薬液を混合して得られた混合液を前記送液配管に戻すための薬注用配管部材であって、
前記液体を前記送液配管から取り出すための取り出し配管部と、
前記混合液を前記送液配管に戻すための戻し配管部と、
前記取り出し配管部および前記戻し配管部を束ねた状態として、これを前記送液配管の分岐部に接続する分岐部接続部と、
を備えることを特徴とする（基本構成）。
【０００７】
本発明の薬注用配管部材は、上記の基本構成に加え、外側管と、その内側に配した内側管と、からなる二重管部を有し、
前記外側管の一方の端部が前記分岐部接続部の一部となって前記分岐部に接続し、他方の端部を閉塞する底部を有し、当該底部またはその近傍の周面に、他の配管に接続するための第１の外部接続部を有し、
前記内側管の一方の端部が前記送液配管内まで延伸して開口し、他方の端部が前記外側管の底部またはその近傍の周面を貫通して、さらに他の配管に接続するための第２の外部接続部を有し、
前記二重管部における、前記外側管と前記内側管との間隙、および、前記内側管内、のいずれか一方が前記取り出し配管部を構成し、他方が前記戻し配管部を構成することができる。
【０００８】
このとき、前記二重管部における、前記外側管と前記内側管との間隙が前記取り出し配管部を構成し、前記内側管内が前記戻し配管部を構成し、
前記内側管の一方の端部が、前記液体の流れ方向下流側に向いて、または、下流側に向いて斜めに、開口していることが好ましい。
【０００９】
本発明の薬注システムは、上記本発明の薬注用配管部材と、
前記取り出し配管部によって前記送液配管の分岐部から取り出した前記液体を、前記戻し配管部に送液する薬注配管と、
前記薬注配管の中途で前記液体に薬液を注入する薬注手段と、
を備えたことを特徴とする。
【００１０】
また、本発明の薬注方法は、液体が流れる送液配管から前記液体を取り出し、これに薬液を混合して得られた混合液を前記送液配管に戻す薬注方法であって、
上記本発明の薬注用配管部材を用いて、前記取り出し配管部によって前記液体を前記送液配管の分岐部から取り出し、これに薬液を混合した後、得られた混合液を前記戻し配管部によって前記分岐部に戻すことを特徴とする。
【発明の効果】
【００１１】
本発明の薬注用配管部材によれば、液体を送液配管から取り出すための取り出し配管部と、混合液を送液配管に戻すための戻し配管部と、取り出し配管部および戻し配管部を束ねた状態として、これを送液配管の分岐部に接続する分岐部接続部と、を備える構成により、送液配管に１ヶ所の分岐部さえあれば、送液配管から取り出した液体に対して薬液を注入して希釈混合した後に、得られた混合液を送液配管に戻すことが可能となり、注入する薬液が腐食性を有するものであっても希釈することで腐食性を低減することができ、送液配管における薬液供給箇所（すなわち分岐部）下流側の内周面（管壁）への影響を低減することが可能となる。
【００１２】
なお、ここでいう「束ねた状態として」とは、独立した複数の配管を１つにまとめた状態のほか、１つの配管内を複数の区画に分割して複数の連通路を形成した状態（複合管）や、大径の配管の中にそれより小径の配管を１つ以上嵌挿して、配管相互の間隙と、最も小径の配管の内部との２以上の連通路を形成した状態（多重管。大径と小径１つずつの場合は「二重管」）も、配管を束ねた状態の概念に含まれる。
【００１３】
さらに、互いに原液のまま混合すると沈殿が発生する等の不都合が生じるため、送液配管に設けられた複数の分岐部から別々に注入する必要があった薬液の組み合わせであっても、本発明の薬注用配管部材を用いると、送液配管から取り出した液体で、複数の薬液を希釈しながら混合することができるので、送液配管に１ヶ所の分岐部さえあれば注入が可能となる。
【００１４】
本発明の薬注用配管部材は、上記の基本構成に加え、外側管と、その内側に配した内側管と、からなる二重管部を有し、外側管の一方の端部が分岐部接続部の一部となって分岐部に接続し、他方の端部を閉塞する底部を有し、底部またはその近傍の周面に、他の配管に接続するための第１の外部接続部を有し、内側管の一方の端部が送液配管内まで延伸して開口し、他方の端部が外側管の底部またはその近傍の周面を貫通して、さらに他の配管に接続するための第２の外部接続部を有し、二重管部における、外側管と内側管との間隙、および、内側管内、のいずれか一方が取り出し配管部を構成し、他方が戻し配管部を構成することにより、上記効果を得ながら、薬注用配管部材の作製が比較的容易となる。
【００１５】
このとき、二重管部における、外側管と内側管との間隙が取り出し配管部を構成し、内側管内が戻し配管部を構成し、内側管の一方の端部が、液体の流れ方向下流側に向いて、または、下流側に向いて斜めに、開口していることで、戻し配管部によって送液配管に戻った混合液が、送液配管で液体の流れにスムーズに乗って、液体内に速やかにかつ均質に分散する。この結果、腐食性が強く、希釈しただけでは薬液供給箇所下流側の管壁の腐食を十分に抑制することができない場合でも、効果的に管壁への影響を低減することが可能となる。
【００１６】
本発明の薬注システムは、上記のいずれかの薬注用配管部材を備えた構成とすることにより、送液配管に１ヶ所の分岐部さえあれば、送液配管から取り出した液体に対して薬液を注入して希釈混合した後に、得られた混合液を送液配管に戻すことが可能となり、注入する薬液が腐食性を有するものであっても希釈することで腐食性を低減することができ、送液配管における薬液供給箇所下流側の配管への影響を低減することが可能となる。
【００１７】
本発明の薬注方法は、上記のいずれかの薬注用配管部材を用いる構成により、液体が流れる送液配管から液体を取り出し、これに薬液を混合して得られた混合液を前記送液配管に戻すという薬注方法を、送液配管に設けられた１ヶ所の分岐部だけで行うことが可能となる。
【図面の簡単な説明】
【００１８】
【図１】（ａ）は、本発明の薬注用配管部材の一例Ａを示すモデル断面図であり、（ｂ）は、一例Ａを用いた薬注方法ないし薬注システムを示すモデル断面図である。
【図２】本発明の薬注用配管部材の他の例Ａ′を用いた他の薬注方法ないし薬注システムを示すモデル断面図である。
【図３】（ａ）〜（ｄ）は、本発明の薬注用配管部材の他の例Ｂ〜Ｅを示すモデル断面図である。
【図４】本発明の薬注用配管部材のさらに他の例Ｆを示すモデル図であり、（ａ）は断面図、（ｂ）は上面図である。
【発明を実施するための形態】
【００１９】
以下、本発明について、好ましい実施形態を挙げ、図１〜図４を用いて説明する。
まず、図１（ａ）に、本発明の薬注用配管部材の一例Ａのモデル断面図を示す。
【００２０】
この薬注用配管部材の一例Ａ（以下、「薬注用配管部材Ａ」と称する。他の例においても同様。）は、二重管部Ａ１と、延長管部Ａ２とから構成されている。
二重管部Ａ１は、外側管１と、その内側に配した内側管２と、による二重管となっており、外側管１の内径は内側管２の外径よりも大きく、外側管１の内側面１ｆと内側管２の外側面２ｅとの間には間隙１ｇが形成されている。なお、薬注用配管部材Ａでは、外側管１と内側管２とが同軸となっているが、これらは必ずしも同軸でなくてもよく、また、外側管１の管壁と内側管２の管壁とが部分的に一体となっていてもよい。
【００２１】
外側管１の一方の端部である先端１ａ付近には、後述するように、液体が流れる送液配管３の分岐部３ａに対して分岐部接続部として機能するねじ部１ｂがある。また、他方の端部を底部１ｃが閉塞し、さらに底部１ｃの近傍には外側管１の周面から突出する円筒形の、後述するように他の配管４に接続するためのねじ部１ｅを備えた第１の外部接続部１ｄを有する。このように第１の外部接続部１ｄを底部１ｃ近くの周面に設けることで、液の滞留部がなくなり、薬液の滞留による薬注用配管部材Ａの材料への影響を低減し、また、不溶成分の蓄積を抑制することができる。なお、第１の外部接続部１ｄとしては、この例においては円筒形の配管を設けたが、配管４と接続可能であれば他の形状、たとえば、側面１ｆに、雌ねじ部を有する孔を設けてもよい。
【００２２】
一方、二重管部Ａ１の内側管２の一方の端部である先端２ａは、外側管１の先端１ａから突出していて、後述する送液配管３内まで延伸し開口（「開口２ａ」と表記する場合がある。）している。開口２ａは、送液配管３の中心軸周辺まで達している。したがって、送液配管３の中心軸ないしその付近の液体を取り出す際、あるいは、薬液と液体との混合液を送液配管３に戻す際に、送液配管３の中心部分への供給が可能となっている。一方、内側管２の他方の端部側は、外側管１の底部１ｃを貫通し、延長管部Ａ２となっている。
【００２３】
延長管部Ａ２は、拡径部２ｂにより二重管部Ａ１の内側管２よりも拡径していて、この例では二重管部Ａ１の外側管１と同径になっているが、十分な流量が確保できれば、より細くてもよい。延長管部Ａ２の端２ｃ付近に、後述する他の配管４と接続するための雄ねじ部２ｄ１を備えた第２の外部接続部２ｄを有する。
【００２４】
なお、図１（ａ）では、薬注用配管部材Ａが一体のものとなっているが、本発明はこれに限定されず、市販の配管材料を組み合わせて本発明の薬注用配管部材の構成としてもよい。また、後述する薬注手段としての薬注装置を有する配管４で注入される薬液と液体との効率的な混合のために、延長管部Ａ２内に攪拌用のスパイラル板等を設けてもよい。さらに、延長管部Ａ２内に薬液成分や薬液に添加するトレーサー成分を検出するセンサや、ｐＨ計、酸化還元電位センサ等を配置し、その測定値を用いて配管４への薬液供給量を制御することもできる。
【００２５】
本発明において、薬注用配管部材の材質は、用いる薬液に対して十分な耐薬品性を備える限り特に限定されず、樹脂や金属、各種ライニング材料等から選択できる。また、用いる薬液とは、原液で接するのではなく、後述の通り、配管４内で送液配管３から取り出した液体で希釈した後に接するので、薬注用配管部材に対する耐薬品性の要求もその分緩和される。なお、本発明の薬注用配管部材は送液配管に着脱可能な接続部で接続しているので、万一腐食や詰まり等が発生しても交換することが可能であり、薬注用配管部材が接続しているシステム全体に及ぼす影響を低減することができる。
【００２６】
次に、図１（ｂ）により薬注用配管部材Ａを用いる本発明の薬注方法の一例と、それを実現する本発明の薬注システムの一例について説明する。図１（ｂ）は、薬注用配管部材Ａを用いた薬注方法を示すモデル断面図である。
薬注用配管部材Ａは、液体が流れる送液配管３の分岐部３ａのねじ部と二重管部Ａ１の外側管１の先端１ａ付近のねじ部（分岐部接続部）１ｂとの螺合により送液配管３の分岐部３ａに接続していて、二重管部Ａ１の内側管２の開口２ａはこの例では送液配管３の中心近くまで延伸し開口している。
【００２７】
また、図１（ｂ）に略記してあるように、二重管部Ａ１の第１の外部接続部１ｄは配管（薬注配管）４に接続し、当該配管４は、ポンプ４ａおよび図示しない薬注装置（薬液を注入する位置のみ矢印で図示）との接続部を経由して、延長管部Ａ２の第２の外部接続部２ｄと接続している。
【００２８】
薬液を送液配管３内に注入（供給）するときには、ポンプ４ａを運転し、図中の矢印Ｘ１，Ｘ２方向に送液する。送液配管３を流れる液体は、分岐部３ａ、二重管部Ａ１の外側管１と内側管２との間隙１ｇ、第１の外部接続部１ｄ、そして、配管４を経由し、薬注装置が供給する薬液と混合して混合液となる。当該混合液は、二重管部Ａ１の内側管２の開口２ａから、送液配管３の中心軸付近で液体に合流する。この例では外側管１と内側管２との間隙１ｇは取り出し配管部として、内側管２は戻し配管部として、それぞれ機能する。
【００２９】
このとき内側管２の先端２ａが、送液配管３を流れる液体の流れ方向Ｙ１の下流側に向いて斜めに開口しているので、混合液は、送液配管３で液体の流れにスムーズに乗って（矢印Ｙ２）、液体内に速やかにかつ均質に分散する。この開口の向きは、薬注用配管部材Ａでは、液体の流れ方向Ｙ１との成す角が４５°となる傾きであるが、当該成す角としては、特に制限されず、０°より少しでも大きければ混合液をスムーズに注入できるので効果を得ることができ、斜めではなく完全に液体の流れ方向Ｙ１の下流側に向いた９０°でも、高い効果を得ることができる。
【００３０】
以上のように、薬注用配管部材Ａによれば、送液配管３の分岐部３ａの１ヶ所だけに接続することで、薬液を送液配管３からの液体により希釈して混合液とし、送液配管３の中心軸付近に供給することができる。そのため、薬液が原液の状態で送液配管３の管壁（内周面）に接触することがなく、薬液を送液配管３から取り出した液体により希釈して、送液配管３の管壁から離れた位置に供給するので、送液配管３への影響を抑制することができる。
【００３１】
図１（ｂ）では、送液配管３の重力方向の下側（図中においても下側）に薬注用配管部材Ａを取り付けているが、底部１ｃや第１の外部接続部１ｄ内に不溶成分が蓄積するおそれがある場合など、必要に応じて、送液配管３の上方や側方に薬注用配管部材Ａが位置するように取り付けてもよい（以下の実施形態においても同様）。
【００３２】
なお、図１（ｂ）の例のように、配管４における、液体の流れ方向でポンプ４ａの下流に薬注装置を接続することにより、ポンプ４ａとして、供給する薬液に対する耐薬品性が十分でないポンプであっても用いることができる。もちろん、耐薬品性の高いポンプを用いたり、腐食性を有しない薬液を供給する等、薬液がポンプに影響を与えないような手当てを別途講じておけば、ポンプ４ａと薬注装置の配置を逆にしても構わない。
配管４には、必要に応じてミキサーやセンサ等、その他の機器や装置を設けることができる。
【００３３】
また、配管４や薬注装置、薬注ノズル付近のメンテナンスを容易なものとするために、配管４の、薬注用配管部材Ａとの接続部近く、および／または、薬注装置と接続するための分岐部付近に、バルブや、フランジ継手、ユニオン継手などによる継手接続部を設けることができる。
【００３４】
送液配管３を流れる液体の流速は、送液配管３の中心部では管壁（内周面）やその付近より速いので、薬注用配管部材Ａ１や送液配管３の各種寸法、送液配管３を流れる液体の粘度や流速などの条件によっては、ピトー管と同様にベルヌーイの定理により配管４内に矢印Ｘ１，Ｘ２方向の十分な液流が生じるため、ポンプ４ａが不要となる場合もある。
【００３５】
図１（ｂ）に示した例では、二重管部Ａ１の外側管１と内側管２との間隙１ｇを取り出し配管部として、送液配管３内を流れる液体を薬注用配管部材１内に導入したが、内側管２を取り出し配管部として液体を導入することもできる。かかる態様の例として、図２に、薬注用配管部材Ａ′を示す。
【００３６】
薬注用配管部材Ａ′は、二重管部Ａ１の内側管２の先端２ａの開口が斜めとなっておらず、内側管２の軸方向に対して垂直となっている点以外は、図１（ａ）および図１（ｂ）に示した薬注用配管部材Ａと同じ構成である。なお、薬注用配管部材Ａ′には、ポンプ４ａおよび図示しない薬注装置を有する配管４が接続しているが、ポンプ４ａによる送液方向が逆であるとともに、ポンプ４ａと薬注装置の位置関係も逆になっている。
【００３７】
送液配管３内の液体を、ポンプ４ａの負圧によって、二重管部Ａ１の内側管２の先端２ａから取り込む。先端２ａから取り込んだ液体を、内側管２を通じて延長管部Ａ２を経由し、その端部の第２の外部接続部２ｄに接続する配管４に送る。そして、ポンプ４ａおよび図示しない２つの薬注装置それぞれとの接続部分を経由し、これら薬注装置が供給する薬液１および薬液２をこの順で混合して複合混合液とする。当該複合混合液を、第１の外部接続部１ｄを通じて二重管部Ａ１の外側管１と内側管２との間隙１ｇ内に送り、そして送液配管３の分岐部３ａから送液配管３内を流れる液体に供給する。この例では、内側管２は取り出し配管部として、外側管１と内側管２との間隙１ｇは戻し配管部として、それぞれ機能する。
【００３８】
このように、図２に示した例では、図１（ｂ）に示した例と同様、送液配管３の分岐部３ａの１ヶ所だけに接続することで、薬注用配管部材Ａ′により、薬液を送液配管３からの液体により希釈して混合液とし、送液配管３に供給することができる。すなわち、薬液は、原液の状態では送液配管３の管壁（内周面）に接触しないので、送液配管３への影響を抑制することができる。
【００３９】
上述のように配管４には複数の薬注装置を接続することができる。互いに原液のまま混合すると沈殿が発生する等の不都合が生じるような組み合わせの薬液の場合には、注入のための複数の分岐部を送液配管３に設ける必要があった。しかし、薬注用配管部材Ａ，Ａ′を用いることにより、配管４において、複数の薬液をそれぞれ別の箇所で注入し、配管４内を流れる液体でこれら薬液を希釈しながら混合するので、薬注用配管部材Ａ，Ａ′を送液配管３の分岐部の１ヶ所だけに接続することで、複数の薬液の注入が可能となる。
【００４０】
なお、大型プラントなどでは、送液配管から薬注装置の設置場所が遠い場合がしばしばあるが、この場合、従来の薬注装置ないし薬注方法では、複数の薬注装置から送液配管までの配管がそれぞれ必要となる。しかし、本発明の薬注用配管部材を用いると、取り出した液体を送液する配管と、薬注後の混合液を送液配管に戻す配管の２本だけで済む。そのため、配管材料や工事などにかかるコストを抑制することが可能になる。
【００４１】
さらに、接続する送液配管３の太さに応じて、外側管１からの内側管２の突出長さを最適化することにより、外側管１から突出している内側管２の先端２ａの開口から薬液成分を含む混合液を、送液配管３の管壁（内周面）近くではなく、送液配管３の中心ないし中心付近に供給できるので、送液配管３への影響をより効果的に低減することが可能になる。
【００４２】
次に図３および図４を用いて、薬注用配管部材Ａ、Ａ′とは異なる、本発明の薬注用配管部材の他の例について説明する。
図３の（ａ）〜（ｄ）は、本発明の薬注用配管部材の他の例Ｂ〜Ｅを示すモデル断面図である。
【００４３】
図３（ａ）に示した薬注用配管部材Ｂは、薬注用配管部材Ａ′に近似するが、延長管部Ａ２の径が、二重管部Ａ１の内側管２の径と等しく、拡径部２ｂなしにそのまま連続した態様である。内側管２が、そのままの径で外側管１の底部１ｃを貫通して延在している態様ともいえる。内側管２の延長管部Ａ２側の端部近傍の外周面に、雄ねじ部２ｄ１を有し、配管４が接続する第２の外部接続部２ｄとなっている。当該態様は、滞留する箇所が少ない点で有利である。
【００４４】
図３（ｂ）に示した薬注用配管部材Ｃは、二重管部Ａ１の外側管１の底部１ｃの底面１ｈに内側管２の端２ｃが開口している態様である。薬注用配管部材Ａ′や薬注用配管部材Ｂにおける延長管部Ａ２のない態様ともいえる。内側管２における端２ｃの開口近傍の内周面に雌ねじ部２ｃ１を有し、配管４が接続する第２の外部接続部２ｄとなっている。当該態様は、小型化が可能な点で有利である。
【００４５】
図３（ｃ）に示した薬注用配管部材Ｄは、二重管部Ａ１の内側管２が外側管１内で直角に方向を変え、外側管１の周面を貫通しており、かつ、外側管１の下方で円錐台状の底部１ｃを有し、縮径した管部１ｊが連なる態様である。内側管２における外側管１の周面を貫通した端部近傍の外周面に雄ねじ部２ｄ１を有し、配管４が接続する第２の外部接続部２ｄとなっている。また、管部１ｊの外周面に雄ねじ部１ｅを有し、配管４が接続する第１の外部接続部１ｄとなっている。当該態様は、配管の取り回しの関係から、第２の外部接続部２ｄを送液配管２と平行方向にしたい場合に有利である。
【００４６】
図３（ｄ）に示した薬注用配管部材Ｅは、薬注用配管部材Ｄと近似しているが、二重管部Ａ１の内側管２が外側管１の軸に対して偏心した状態で、かつ、これらの管の管壁が一体部１ｈで部分的に一体となっている点で異なる態様である。他の構成については、薬注用配管部材Ｄと同一である。当該態様は、内側管２の固定が容易でかつ強度があり、製造が比較的容易である点で有利である。
【００４７】
以上の例では、全て外側管と内側管の二重管部Ａ１を用いた例を挙げているが、３重以上の多重管を用いてもよく、その場合も本発明の範疇に含まれる。３重以上の多重管の場合に、どの配管と配管との間隙や配管内部（両者を合わせて「層」と呼ぶ場合がある。）を第１の外部接続部と第２の外部接続部に振り分けるかは、任意である。また、形式上３重以上の多重管であったとしても、その内の２層しか用いていなかったり、層間で液の行き来があって、区画が実質的に２層と認められる場合には、二重管の変形例として捉えることができる。
【００４８】
さらに、図４に示した薬注用配管部材Ｆは、図１〜図３における二重管部Ａ１に代えて、円管の管内部を２つに区画し、区画ごとに独立した分割配管部５ａおよび分割配管部５ｂを有する複合管部Ａ３を用いる態様である。
なお、図４は、本発明の薬注用配管部材のさらに他の例Ｆを示すモデル図であり、図４（ａ）は複合管部Ａ３における管の軸方向の断面図であり、図４（ｂ）は上面図である。
【００４９】
分割配管部５ｂは、分割配管部５ａの先端５ａ１より突出した延伸部５ｂ２を有する。分割配管部５ａの先端５ａ１の外周面と、分割配管部５ｂの延伸部５ｂ２の基端部の外周面には、両者に亘って円環を成すねじ部５ｃが設けられ、これが分岐部接続部として、送液配管３の分岐部３ａに設けられたねじ部に螺合して接続する。
【００５０】
一方、分割配管部５ａおよび分割配管部５ｂの先端５ａ１、５ｂ１側とは反対側の端部側には、それぞれ段差をもって縮径した管部５ｄ２および管部５ｅ２が連なる。管部５ｄ２の外周面は雄ねじ部５ｄ１を有し、配管４が接続する第１の外部接続部５ｄとなっている。また、管部５ｅ２の外周面は雄ねじ部５ｅ１を有し、配管４が接続する第２の外部接続部５ｅとなっている。
【００５１】
なお、図４の例Ｆでは、１つの円管を２つに区画しているが、３つ以上に区画することもでき、その場合も本発明の範疇に含まれる。３つ以上に区画した場合に、どの分割配管部を第１の外部接続部と第２の外部接続部に振り分けるかは、任意である。
【００５２】
これら薬注用配管部材Ｂ、Ｃ、Ｄ、ＥおよびＦは、それぞれ、薬注用配管部材Ａ、Ａ′と同様に、送液配管３の分岐部３ａに取り付けられ、ポンプ４ａや図示しない薬液タンク、薬注ポンプ等を備えた配管（薬注配管）４を、第１の外部接続部および第２の外部接続部に接続することで本発明の薬注システムを構成することができ、これを稼動することで本発明の薬注方法を実現することができる。これらいずれの薬注用配管部材を用いても、送液配管に１ヶ所の分岐部さえあれば、送液配管から取り出した液体に対して薬液を注入して希釈混合した後に、得られた混合液を送液配管に戻すことが可能となり、注入する薬液が腐食性を有するものであっても希釈することで腐食性を低減することができ、送液配管における薬液供給箇所下流側の配管への影響を低減することが可能となる。
【００５３】
以上、本発明について、好ましい実施形態を挙げて説明したが、本発明の薬注用配管部材、薬注システム、および、薬注方法は、上記実施形態の構成に限定されるものではない。
たとえば、上記実施形態では、送液配管取り付け側の端部開口について、取り出し配管部と戻し配管部のいずれか一方を他方に対して突出（延伸）させて、当該一方を送液配管の中心軸近くに配する例を挙げたが、本発明はこれに限定されず、たとえば、端部開口の位置を両者揃えて送液配管の内部にいずれも突出させない態様や、逆に双方とも突出させる態様であっても構わない。
【００５４】
ただし、取り出し配管部において液体を取り込む開口部と、戻し配管部において混合液を供給する開口部とがある程度離れていることが、混合液が取り出し配管部の開口部から取り込まれにくく、薬液の供給効率が上がる点で好ましい。したがって、取り出し配管部と戻し配管部のいずれか一方が他方に対して突出（延伸）している上記実施形態の構成は好ましい態様といえる。
【００５５】
その他、当業者は、従来公知の知見に従い、本発明の薬注用配管部材、薬注システム、および、薬注方法を適宜改変することができる。このような改変によってもなお、本発明の薬注用配管部材、薬注システム、および、薬注方法の構成を備えている限り、もちろん、本発明の範疇に含まれるものである。
【符号の説明】
【００５６】
Ａ、Ａ′、Ｂ、Ｃ、Ｄ、Ｅ、Ｆ：薬注用配管部材
Ａ１：二重管部
Ａ３：複合管部
１：外側管
１ｂ：ねじ部（分岐部接続部）
１ｃ：底部
１ｇ：間隙
２：内側管
３：送液配管
３ａ：分岐部
４：配管（薬注配管）
【図１】
2019195784.tif 000003
【図２】
2019195784.tif 000004
【図３】
2019195784.tif 000005
【図４】
2019195784.tif 000006